(57)【要約】【課題】従来における和服の着用時に問題となる体形の補正を行うことなく、自然の体形のもとに、軽快に行動できて、なおかつ、日本美の和服姿を見せることを可能とする浴衣あるいは襦袢等の和服を提供する【解決手段】襦袢等の和服において、和服の後身ごろにおける胸部位置に相当する部分に適宜数の折りひだ・タックを形成し、当該部分を伸縮性を有するゴムベルトで止着するとともに、ゴムベルトの腋側にブラジャーの固定具を設け、記固定具に係合する固定具とカップ同志を連結する固定具とを有する一対のカップからなるブラジャーを着脱可能に有する浴衣あるいは襦袢等の和服である。【選択図】  図１
2007177358.tif 000002
【特許請求の範囲】
【請求項１】
浴衣、襦袢等の和服において、和服本体にブラジャーを接続具で直接取り付けて装着できるようにしたことを特徴とする浴衣、襦袢等の和服。
【請求項２】
請求項１記載の和服において、浴衣、襦袢等の和服において、和服の後身ごろにおける胸部位置に相当する部分に適宜数の折りひだ・タックを形成し、当該部分に対して伸縮性を有するゴムベルトで止着するとともに、ゴムベルトの腋側にブラジャーの固定具を設け、記固定具に係合する固定具とカップ同志を連結する固定具とを有する一対のカップからなるブラジャーを有することを特徴とする浴衣、襦袢等の和服。
【請求項３】
請求項１、２記載の和服において、浴衣、襦袢等の和服において、和服の前身ごろにおける胸部位置に相当する部分に折りひだ・タックを形成し、当該部分に対して伸縮性を有するゴムベルトで止着したことを特徴とする浴衣、襦袢等の和服。
【請求項４】
請求項１記載の和服において、浴衣、襦袢等の和服において、和服の後身ごろにおける胸部位置に相当する部分に適宜数のベルト通しを固定し、該ベルト通しに両側に固定具を設けてなるゴムベルトを挿通し、記固定具に係合する固定具とカップ同志を連結する固定具とを有する一対のカップからなるブラジャーを有することを特徴とする浴衣、襦袢等の和服。
【発明の詳細な説明】
【技術分野】
【０００１】
本発明は、簡単に着付けを行うことのできる和服に関し、特に、直接素肌に着用する浴衣、就中、女性用の浴衣、あるいは、簡単に着付けを行うための和装用の下着としての襦袢等の和服に関するものである。
【背景技術】
【０００２】
従来から、和服としての浴衣は男女を問わずに夏の衣服として広く着用されていた。しかしながら、女性が浴衣を着用するに際しては、和服が平面的な縫製にかかる衣料であることから、着衣姿における外見の優美さを醸成するために、体形を筒状に補正することが行われ、即ち、バストのふくらみが大きくても小さくても、さらしを巻いたりタオルを当てたりして補正などをする必要があり、このため、着脱に人手を要することが多くあつた。
【０００３】
また、浴衣は素肌の上に直接着用するものであるが、直接着用した場合、浴衣の色柄によっては、透けて見える場合もあり、着用に抵抗感を覚える場合もあり、加えて、夏期などには汗をかいた場合、汗をかいた背中などの肌に浴衣の布地がくっついてしまい、着心地も悪く、外観上も着崩れと見紛うことから、高温で、かつ、多湿である夏の時期や場所での浴衣の着用が敬遠されるところである。
【０００４】
同様に、和服を着用する場合においても、腰巻、肌襦袢を着用し、この上から体形の補正を行いつつ上着としての和服を重ねて、帯を巻き締めることから、和服を着用する場合には人手を要するのみならず、長時間を要することが多く、さらには、和服の着用時にあっては着崩れを防ぐために、多数のヒモで緊縛することから、動作に軽快感を欠き、拘束された感覚をもたらすことから、現代生活には次第に馴染めず、和服が敬遠され、和服離れの要因となっている。
【０００５】
一方、近年において若い女性を中心にして和服の着用がブームとなりつつあるが、これらの若年層にあっては、煩わしい体形の補正を敬遠し、自然の体形のもとに、軽快に行動できて、なおかつ、日本美の和服姿を見せることを希求するところである。かかる要求を満足させるためには、和装用としての各別の下着を必要とすることになり、このために従来から種々の提案がなされている。
【０００６】
例えば、実用新案登録第３１０７５６７号公報には、浴衣の下に着用される浴衣用インナーにおいて、上半身を覆う上部と下半身を覆う下部とが接続されたものであり、上部は上半身が挿入される筒状の胴部を備え、下部は左右の両端が接続されていない布状体から構成される。この布状体の上端が胴部の下端に縫着され、布状体の左端が胴部の正面右側に位置し、布状体の右端が胴部の正面左側に位置し、胴部の正面略中央にて布状体の左右両端寄り部分が重ねられて２重になっており、その上端のみで縫着され構成のものが提案されている。
【０００７】
また、実用新案登録第３０５２２２２号公報には、着用者の胸部を囲繞する胸あて部と、前記胸あて部の前後部分を振り分け状に連結する一対の肩吊帯からなる和装用ブラジャーにおいて、一対の肩吊帯の前方部分を末広がり状に形成し、この部分に肉厚な補整用パッド材を内蔵せしめ、和服着付の際の鎖骨のくぼみによる胸もとの乱れを補整する様にした和装用のブラジャーが提案されている。
【０００８】
さらに、実用新案登録第３０４８７４５号公報には、左右に腕を通すための袖を備え、胸の後ろを覆うとともに、胸の前で重ね合わせ得るように形成された肌襦袢部と、肌襦袢部から下方に連続して設けられる裾除け部と、肌襦袢部の内側に肌襦袢部に対して一体的に固定されるとともに、乳房を保持する和装ブラジャーとを有してなり、和装ブラジャーは、左右対称に設けられる一対の当布を備え、各当布の基端部は、肌襦袢部の胸の後ろに位置する部分に固定され、各当布の先端部は、肌襦袢部の内側であって胸の前の位置において上下に重ね合わせ得るように形成され、上下に重ね合わさる部分に、この当布の姿勢を保持する面状ファスナを備えてなる和装下着が提案されている。
【０００９】
さらにまた、実用新案登録第３１０７３４２号公報には、前身頃の両脇部に、互いに留め合わせ可能なベルト片と、長襦絆の襟を固定する襟止め具が設けられた長襦絆用ゴムベルトと、着物の襟を固定する襟止め具が設けられた着物用ゴムベルトとの一端がそれぞれ縫着され、前身頃の両肩部に左右の肩紐の一端が縫着され、左右の肩紐の他端が左右のベルト片に縫着されてなる和装用ブラジャー、及び和装用肌着セットが提案されている。
【００１０】
また、実開平０３−３８３０３号公報には、適当強度の伸縮性を持つ繊維で縫製または編製した肌襦袢胴部の前部において両乳房と当接すべき平均的位置に、同様適当強度の伸縮性を持つ繊維で縫製または編製されたところの円形の浅皿伏状のパッドを逢着なしまたは一体的に織製または編製なして組み合わせたブラジャー兼用和装下着が提案されている。
【００１１】
このように従来の着物の着付けでは、和装用ブラジャー、布ひもや着物ベルトなどの着付け用具、肌着などをそれぞれ別々に用意しなければならず、着付けの小物が増えやすく、準備や整理等にも手間がかかりやすいという問題があり、また、着物の着付けがさらに楽に行えるような改良が望まれていた。
【特許文献１】実用新案登録第３１０７５６７号公報
【特許文献２】実用新案登録第３０５２２２２号公報
【特許文献３】実用新案登録第３０４８７４５号公報
【特許文献４】実用新案登録第３１０７３４２号公報
【特許文献５】実開平０３−３８３０３号公報
【発明の開示】
【発明が解決しようとする課題】
【００１２】
本発明は、前述の諸点に鑑みなされたもので、従来における和服の着用に際して各別の着付け用具を必要とすることなく簡便に着付けられ、また、着付けにおいて問題となる体形の補正を行うことなく、自然の体形のもとに、軽快に行動できて、なおかつ、日本美の和服姿を見せることを可能とする浴衣あるいは襦袢等の和服を提供することである。
【課題を解決するための手段】
【００１３】
前述する課題を解決するための本発明にかかる和服の構成は、浴衣、襦袢等の和服において、和服本体にブラジャーを接続具で直接取り付けて装着できるようにした点に存するものである。
【００１４】
また、前述する課題を解決するための本発明にかかる和服の構成は、浴衣、襦袢等の和服において、和服の後身ごろにおける胸部位置に相当する部分に適宜数の折りひだ・タックを形成し、当該部分に対して伸縮性を有するゴムベルトで止着するとともに、ゴムベルトの腋側にブラジャーの固定具を設け、記固定具に係合する固定具とカップ同志を連結する固定具とを有する一対のカップからなるブラジャーを有する点に存するものである。
【００１５】
さらに、前述する課題を解決するための本発明にかかる和服の構成は、浴衣、襦袢等の和服において、和服の前身ごろにおける胸部位置に相当する部分に折りひだ・タックを形成し、当該部分に対して伸縮性を有するゴムベルトで止着した点に存するものである。
【００１６】
さらにまた、前述する課題を解決するための本発明にかかる和服の構成は、、浴衣、襦袢等の和服において、和服の後身ごろにおける胸部位置に相当する部分に適宜数のベルト通しを固定し、該ベルト通しに両側に固定具を設けてなるゴムベルトを挿通し、記固定具に係合する固定具とカップ同志を連結する固定具とを有する一対のカップからなるブラジャーを有する点に存するものである。
【発明の効果】
【００１７】
前述の構成を採用することによって、本発明の浴衣あるいは襦袢に係る和服にあっては、浴衣あるいは襦袢とブラジャーを一体化したことにより、胸元を形良く整えられ、バストを安定させることによって、本来の体形に合わせた着付け、換言すれば、胸元の形を安定させた身体の線を自然に現す洋服感覚による着こなしを可能とし、特に浴衣にあっては着付けに他人の手を煩わせることなく気軽に、また、簡便に着付けることができる効果を有するものである。
【００１８】
さらに、本発明の浴衣あるいは襦袢に係る和服にあっては、前身ごろにおけるブラジャーの下部に相当する位置に折ひだ・タックを設け伸縮性を付与することによって、さらに自然の体形に融合せしめることを可能とし、着崩れのない着付けが可能であり、細い帯又はベルト等を使用することによって身体の動きが自由な洋服感覚で着用することのできる効果を有するものである。
【００１９】
また、本発明の浴衣あるいは襦袢に係る和服にあっては、ブラジャーを一体化するに際して、ブラジャーのサイズ選択し、変更することによって、体形の相違を簡単に吸収することが可能であって、和服としての自由度をもたらす効果をも有するものである。
【００２０】
本発明の浴衣あるいは襦袢に係る和服にあっては、浴衣あるいは襦袢とブラジャーを一体化することによって着脱が容易にできることから、日本美の和服姿によるおしゃれを簡単に楽しむことができる。
【実施例】
【００２１】
以下、図示の実施例に基づいて本発明に係る和服について説明するに、和服1としての全体的な構成は、既存の和服と同様の構成を有するもので、即ち、左右の後身ごろ２のそれぞれの脇部分において袖付け部分を除いて縫着された前身ごろ３と、それぞれの前身ごろ３の身体の中央側（反脇側）に身体の前部分で重ね合わされる上部を斜めに裁断された適宜の幅の奥身４をそれぞれ縫着してなり、このおくみ４の傾斜縁に沿って襟５を、さらに、脇に八つ口を設けるようにして袖６を縫い付けたものである。
【００２２】
しかして、後身ごろ２それぞれにおけるバストの背面に相当する位置にゴムベルト７を縫着してなり、このゴムベルト７を縫着するに際して、ゴムベルト７の伸縮を許容するように後身ごろ２の幅よりも長さの短いゴムベルト７を用い、ゴムベルト７の一端を脇部分８に縫いつけ、一方、その他端を後身ごろ２の適宜の位置９に縫い付けて固定することによって、後身ごろ２に伸縮機能を賦与せしめることができる。
【００２３】
この様にしてゴムベルト７を後身ごろ２に縫着した場合、後身ごろに生地のたくれ（余り）を生じることとなるが、ゴムベルト７と後身ごろ２とを適宜間隔で縫付け、その時に発生する生地のたくれ（余り）を折り畳んで襞状あるいはタック１０に形成することが望ましく、言い換えれば、ゴムベルト７を縫着した後身ごろ２の箇所を規則的な折ひだ・タック１０に形成することによって、即ち、折ひだ・タック１０の折り目の山１０ａの部分を対向するゴムベルト７の位置に縫着することによって、ゴムベルト７の伸縮に合わせて折ひだ・タック１０が均等に展開し得ること、さらには、着付けた状態の外観が美麗に見えることから望ましいものである。
【００２４】
前記ゴムベルト７の脇側の端部には、後述するブラジャー１１の一対のカップ１２における脇側に設けられる固定用のフック１３と対をなす係止具１４が止着されている。前述の実施例においては、ゴムベルト7をそれぞれの後身ごろ２に設けるようにしたが、左右の後身ごろ２を一連のものとすることも可能であって、かかる場合においても、ゴムベルト７の伸縮を許容する様に、後身ごろ２の幅よりも長さの短いゴムベルト７を用い、かつ、生地のたくれ（余り）を折り畳んで襞状あるいはタック１０を形成するようにする。
【００２５】
前記ゴムベルト７に止着するブラジャー１１は左右一対のカップ１２から構成され、装着時において脇側に相当する箇所には適宜数の固定用の係止具であるフック１３が固定されてなり、また、反対側にはカップ１２を連結固定するための係止具１５が固定されている。
【００２６】
また、本発明に係る和服にあっては、身体によりフィットさせるために、前身ごろ３におけるバスト部に相当する位置のやや下方、言い換えると、後身ごろ２に設けたゴムベルト７の位置と対応する位置、あるいは、やや下方位置にゴムベルト１６を固定し前身ごろ３に伸縮性を付与する如くなし、バスト部分を包み込むようにするのが望ましい。即ち、適宜の長さのゴムベルト１６を固定し、即ち、前身ごろ３のバスト部のやや下方に相当する位置に、ゴムベルト１６を伸長した状態でその両端部１７、１８を前身ごろ３に固定し、前ごろ３に発生する生地のたくれ（余り）を折り畳んで襞状あるいはタック１９に形成し、前身ごろ３の伸縮状態を可能としている。前身ごろ３において使用するゴムベルト１６は、前述するブラジャー１１を連結するものとは異なり、身体にフィットさせるものであることから、強い弾発力を要求されるものではないことから緩やかなものでよい。
【００２７】
図中２０は、本発明に係る和服を着付けた場合に、細い帯、兵児帯、又はベルト等により緊縛する前に着付け状態を仮に止めるための紐であって、この紐２０は、特に必要とするものではないが、着付け作業を簡単に行うためには有効なものであって、紐２０の一方の紐２０ａは襟５の下端に、また、他方の紐２０ｂは前身ごろ３の脇部に取り付けられている。
【００２８】
前述する本発明に係る和服にあっては、その着用に先立ってゴムベルト７の両側に固定している係止具１４に対して、ブラジャー１１の左右のカップ１２に設けられた固定具のフック１３を利用してゴムベルト７に止着する。次いで、和服１を着用して身体に馴染ませた後、ブラジャー１１を引き寄せてカップ１２に固定している係止具１５を掛け合わせると、ゴムベルト７が伸張すると同時に、後身ごろ２に設けた襞状あるいはタック１０が展開することによって伸長し、身体にフィットすることになる。
【００２９】
ブラジャー１１の取り付けが終わると、前身ごろ３を身体の全面において打ち合わせ、さらに、おくみ５を打ち合わせて紐２０により仮に着付けを行い、しかる後、細い帯、兵児帯、又はベルト等により緊縛する。この時、前身ごろ３に襞状あるいはタック１９を設けた場合にあっては、該襞状あるいはタック１９によって乳房を包み込むように展開することから、さらに身体にフィットすることになり、身体のプロポーションをより自然な形で楽に形よく着用することができる。
【００３０】
図６は、本発明に係る和服の他の実施例を示すもので、説明を簡略化するために和服を構成する同一の部分には同一の符号を付して説明する。
この実施例においては、和服１と、ブラジャー１１を止着するゴムベルト２２とを着脱自在とするもので、即ち、後身ごろ２におけるバストの背面に相当する位置、言い換えれば、後身ごろ２の内側におけるバストライン沿って適宜数のベルト通し２１を縫着して固定してなり、例えば、脇に相当する部分と中央部分との3箇所に設けることが望ましく、このベルト通し２１にゴムベルト２２を挿通する。前記ゴムベルト２２は、バストに緊縮力を付与するものであることから、後身ごろ幅よりも短い寸法を有するものであり、また、その両側端には、ブラジャー１１におけるそれぞれのカップ１２の脇側に設けられている係止具１３に対応する係止具２３が固着されている。
【００３１】
しかして、本発明に係る和服の着用に際して、先ず、ゴムベルト２２を後身ごろ２の内側に止着したベルト通し２１に挿通し、ゴムベルト２２の両側に固定している係止具２３に対して、ブラジャー１１の左右のカップ１２に設けられた固定具のフック１３を利用してゴムベルト２３に止着する。
次いで、和服１を着用して身体に馴染ませた後、ブラジャー１１のカップ１２を引き寄せつつゴムベルト２２を伸張させてカップ１２に固定している係止具１５を掛け合わせてブラジャー１１の装着を行い、その後に後身ごろ２の形を整えることで身体にフィットすることになり、わると、前身ごろ３を身体の全面において打ち合わせ、さらに、おくみ５を打ち合わせて紐２０により仮に着付けを行い、しかる後、細い帯、兵児帯、又はベルト等により緊縛する。
【００３２】
和服１と、ブラジャー１１を止着するゴムベルト２２とを分離可能に構成することによって、和服１の後身ごろ２にゴムベルト７を固定することによる派生して生じる襞状あるいはタック１０の加工を不用とし、また、和服とブラジャー１１を別々に区別して洗濯を可能とする効果を有するものである。
【００３３】
また、図７および図８は、本発明に係る和服のさらなる他の実施例を示すもので、説明を簡略化するために和服を構成する同一の部分には同一の符号を付して説明する。
この実施例においては、和服１と、ブラジャー１１を止着するゴムベルト２２とを着脱自在とするもので、即ち、後身ごろ２におけるバストの背面に相当する位置、言い換えれば、後身ごろ２の内側におけるバストライン沿って適宜数のベルト通し２１を縫着して固定してなり、例えば、脇に相当する部分と中央部分との3箇所に設けることが望ましく、このベルト通し２１にゴムベルト２２を挿通する。前記ゴムベルト２２は、バストに緊縮力を付与するものであることから、後身ごろ幅よりも短い寸法を有するものであり、また、その両側端には、ブラジャー１１におけるそれぞれのカップ１２の脇側に設けられている係止具１４に対応する係止具２３が固着されている。
【００３４】
さらに、後身ごろ２におけるバストの背面に相当する位置、言い換えれば、後身ごろ２の内側におけるバストライン沿って適宜数の襞状あるいはタック１０を形成するとともに、前身ごろ３のバスト部のやや下方に相当する位置にも生地を折り畳んで襞状あるいはタック１９に形成し、前記襞状あるいはタック１０、１９の折りたたんだ頂部に一本のゴムベルト２５を縫着して伸縮可能となし、身体にフィットさせるようにしている。かかる場合、図８に示すように、前身ごろ３に設けた襞状あるいはタック１９のみにゴムベルト１６を固定するようにすることも可能である。
【００３５】
しかして、この実施例に係る和服の着用に際して、先ず、ゴムベルト２２を後身ごろ２の内側に止着したベルト通し２１に挿通し、ゴムベルト２２の両側に固定している係止具２３に対して、ブラジャー１１の左右のカップ１２に設けられた固定具のフック１３を利用してゴムベルト７に止着する。
次いで、和服１を着用して身体に馴染ませた後、ブラジャー１１のカップ１２を引き寄せつつゴムベルト２２を伸張させてカップ１２に固定しているカップ同士を連結する係止具１５を掛け合わせてブラジャー１１の身への装着を行い、前身ごろ３を身体の全面において打ち合わせ、引き寄せることにより同時に後身ごろ２の形をも整えることで身体にフィットさせ、おくみ５を打ち合わせて紐２０により仮に着付けを行い、しかる後、細い帯、兵児帯、又はベルト等により緊縛する。
【００３６】
和服１と、ブラジャー１１を止着するゴムベルト２２とを分離可能に構成することによって、和服とブラジャー１１を別々に区別して洗濯を可能とし、和服１の後身ごろ２と前身ごろ３とに襞状あるいはタック１０の加工を施すとともに、ゴムベルト２５を固定することによって伸縮性を付与することにより、身体にフィットし、現代的な体形を有する若年層において洋服感覚で着用することを可能とし、和服の優美さを発揮する効果を有するものである。
【図面の簡単な説明】
【００３７】
【図１】本発明に係る和服の左前身頃を開いた説明図
【図２】本発明に係る和服の正面図
【図３】本発明に係る和服の背面図
【図４】ブラジャーの詳細図
【図５】図３中のＡ−Ａ線に沿った部分断説明図
【図６】本発明に係る和服の他の実施例を示す正面図
【図７】本発明に係る和服のさらに他の実施例を示す正面図
【図８】本発明に係る和服のさらに他の実施例を示す正面図
【符号の説明】
【００３８】
１：和服
２：後身ごろ
３：前身ごろ
４：おくみ
５：襟
６：袖
７、１６、２２，２５：ゴムベルト
８，９：後身ゴムベルト止着位置
１０：１９：折ひだ・タック
１１：ブラジャー
１２：カップ
１３：フック
１４、１５、２３：係止具
１７，１８：前身ゴムベルト止着位置
【図１】
2007177358.tif 000003
【図２】
2007177358.tif 000004
【図３】
2007177358.tif 000005
【図４】
2007177358.tif 000006
【図５】
2007177358.tif 000007
【図６】
2007177358.tif 000008
【図７】
2007177358.tif 000009
【図８】
2007177358.tif 000010